(57)【要約】【課題】  本発明はゴルフクラブヘッドに関し、トップ部やソール部，サイド部等の外殻構成部材に突出部を複数設けて、各突出部にヘッドバランス調整用の重量体等を装着するに当たり、各突出部振動の同調を図って不快な打球音の発生を防止したゴルフクラブヘッドを提供することを目的とする。【解決手段】  請求項１に係る発明は、クラウン部やサイド部，ソール部等の複数の外殻構成部材で形成され、少なくとも一つの外殻構成部材に複数の突出部を内方へ突設した中空な金属製のヘッドに於て、上記各突出部間にリブを外殻構成部材毎に形成し、各突出部を当該リブで連結したことを特徴とする。そして、請求項２に係る発明は、請求項１に記載のヘッドに於て、突出部は、ヘッドバランス調整用の重量体を装着する受け部であることを特徴とする。【選択図】    図２
2006095055.tif 000002
【特許請求の範囲】
【請求項１】
トップ部やサイド部，ソール部等の複数の外殻構成部材で形成され、少なくとも一つの外殻構成部材に複数の突出部を内方へ突設した中空な金属製のゴルフクラブヘッドに於て、
上記各突出部間にリブを外殻構成部材毎に形成し、各突出部を当該リブで連結したことを特徴とするゴルフクラブヘッド。
【請求項２】
突出部は、ヘッドバランス調整用の重量体を装着する受け部であることを特徴とする請求項１に記載のゴルフクラブヘッド。
【請求項３】
リブは、突出部よりも薄肉とされていることを特徴とする請求項２または請求項３に記載のゴルフクラブヘッド。
【請求項４】
ヘッド本体のサイド部のバック側に、突出部が打球方向と平行に突設されていることを特徴とする請求項１乃至請求項３のいずれか１項に記載のゴルフクラブヘッド。
【請求項５】
リブが、打球方向と平行に突設されていることを特徴とする請求項４に記載のゴルフクラブヘッド。
【発明の詳細な説明】
【技術分野】
【０００１】
本発明は、ヘッドバランスの調整を図る重量体（ウエイト部材）を装着したゴルフクラブヘッドに関する。
【背景技術】
【０００２】
近年、ウッドと称されるゴルフクラブには、トップ部（クラウン部）やサイド部，ソール部等の外殻構成部材を、ステンレス合金やチタン，チタン合金等の金属材料で形成した中空な金属製のゴルフクラブヘッド（以下、「ヘッド」という）が広く使用されている。
そして、従来、この種のヘッドは、重心位置や慣性モーメント等、ヘッドバランスを重量配分により設定しているが、ヘッド本体の厚みを部分的に変化させてヘッドバランスを設定するには限界があるため、昨今ではヘッド本体に重量体を装着してヘッドバランスの調整を図っている。そして、重量体の取付構造として、ネジ止めや溶接による取付構造が知られているが、昨今のヘッドの大型，軽量化に伴いヘッド本体が薄肉化されているため、ネジ止めによる重量体の取付けは、ヘッド本体にネジ孔を開けることでヘッドの強度が低下し、また、長期に亘る打球時の衝撃でネジ止め部位が弛んで、重量体のガタ付きが発生してしまう虞があった。
【０００３】
また、溶接による重量体の取付けにあっては、溶接不良による強度低下で重量体のガタ付きが発生してしまう不具合が指摘されていた。
そこで、特許文献１には、ネジ止めや溶接による重量体の取付構造に代え、図９乃至図１１に示すように中空な外殻体からなる金属製のヘッド本体１のトゥ側に、内向きの円柱状の受け部３をヘッド本体１と一体に設けて、当該受け部３内に、ヘッド本体１より比重の重い筒状の重量体５を挿着したヘッド７が開示されている。
【０００４】
而して、この取付構造によれば、ネジ止めや溶接による取付構造に比し、ガタ付きなく重量体５をヘッド本体１に固着させることが可能となる。
また、特許文献２には、図１２及び図１３に示すように中空な金属製のヘッド本体９のサイド部１１のトゥ側，ヒール側及びバック側の中央位置に、夫々、内向きの円柱状の受け部１３，１５，１７を設けて、各受け部１３，１５，１７に筒状の重量体（銅柱）１９を挿着可能としたヘッド２１が開示されており、このヘッド２１によれば、重量体１９の取付位置を変更することで、ヘッドバランスを適宜変更，設定することが可能となる。
【特許文献１】特開２００１−２７６２８７号公報
【特許文献２】実開平５−１７２号公報
【発明の開示】
【発明が解決しようとする課題】
【０００５】
而して、上述した中空な金属製のヘッドは、外殻構成部材、即ち、フェース部やトップ部，ソール部，サイド部等が、夫々、打球時に振動して打球音が発生するが、既述したように昨今のヘッドは、大型，軽量化に伴いヘッド本体のトップ部やソール部，サイド部等が薄肉化されているため、例えば図１２の如く薄肉なサイド部１１に複数の厚肉な受け部１３，１５，１７を突設してしまうと、夫々の部位にウエイトが乗り、打球時に各部位が局部的に振動してビビリ音が生じ、このビビリ音が中空なヘッド本体内で共振して不快な打球音が発生してしまう虞があった。
【０００６】
本発明は斯かる実情に鑑み案出されたもので、トップ部やソール部，サイド部等の外殻構成部材に、既述した受け部の如き突出部を複数設けて、各突出部にヘッドバランス調整用の重量体等を装着するに当たり、各突出部振動の同調を図って不快な打球音の発生を防止したヘッドを提供することを目的とする。
【課題を解決するための手段】
【０００７】
斯かる目的を達成するため、請求項１に係る発明は、トップ部やサイド部，ソール部等の複数の外殻構成部材で形成され、少なくとも一つの外殻構成部材に複数の突出部を内方へ突設した中空な金属製のヘッドに於て、上記各突出部間にリブを外殻構成部材毎に形成し、各突出部を当該リブで連結したことを特徴とする。
そして、請求項２に係る発明は、請求項１に記載のヘッドに於て、突出部は、ヘッドバランス調整用の重量体を装着する受け部であることを特徴とし、請求項３に係る発明は、請求項２または請求項３に記載のヘッドに於て、リブは、突出部よりも薄肉とされていることを特徴とする。
【０００８】
更に請求項４に係る発明は、請求項１乃至請求項３のいずれか１項に記載のヘッドに於て、ヘッド本体のサイド部のバック側に、突出部が打球方向と平行に突設されていることを特徴とし、請求項５に係る発明は、請求項４に記載のヘッドに於て、リブが、打球方向と平行に突設されていることを特徴としている。
【発明の効果】
【０００９】
各請求項に係る発明によれば、複数の突出部をリブで連結したため、打球時に各突出部振動が同調し易くなって、不快な打球音の発生を防止することが可能となる。
そして、請求項２に係る発明によれば、重量体によってヘッドバランスの調整が図れ、請求項３に係る発明によれば、リブによる重量増を防止することで、重量体によるヘッドバランスの調整を行うに当たり、バランス調整がし易い利点を有する。
【００１０】
また、請求項４及び請求項５に係る発明によれば、突出部やリブを打球時の打球方向と平行に突設することで、打球時の振動で突出部がブレ難く、また、リブを高く形成しても打球時の振動でリブがブレ難くなるため、突出部部位の振動を効率よく、より確実に抑えることが可能となる。
【発明を実施するための最良の形態】
【００１１】
以下、本発明の実施形態を図面に基づいて詳細に説明する。
図１乃至図５は請求項１乃至請求項３の第一実施形態に係るウッドのヘッドを示し、図中、２３はフェース側開口部２５を除き、トップ部２７やフェース部２９，サイド部３１，ソール部３３がチタン合金で一体に鋳造されたヘッド本体で、フェース部２９に形成されたフェース側開口部２５に、高強度チタン合金やステンレス合金を塑性加工（圧延やプレス成形）したフェースプレート３５をフェース部２９と面一に接合して、中空な外殻体からなる金属製のヘッド３７が形成されている。
【００１２】
そして、ヘッド本体２３のヒール側には、有底のシャフト止着孔３９を有する円筒状のシャフト止着部４１がトップ部２７からソール部３３方向へ一体に突設されており、シャフト止着孔３９にＣＦＲＰまたは金属からなるシャフト４３が挿入されて、エポキシ樹脂やアクリル樹脂等の接着剤で固定されている。
また、図２乃至図５に示すようにヘッド本体２３のサイド部３１のバック側には、筒状の受け部（請求項１に記載する「突出部」に相当する）４７，４９がヘッド本体２３の内方へ一体に突設されており、両受け部４７，４９に重量体４５を螺着してヘッドバランスの調整が図られている。
【００１３】
図３に示すように重量体４５は、ヘッド本体２３やフェースプレート３５より比重の大きいタングステンや銅を用いて断面Ｔ字状のねじ状に形成されており、その軸部５１の外周は螺刻されている。
一方、図２及び図４，図５に示すように受け部４７，４９は、重量体４５の外形形状に沿って形成された平面視Ｔ字状の筒状をなし、サイド部３１のバック側の最後部を挟んでヘッド本体２３のトゥ寄りとヒール寄りに、夫々、設けられている。そして、両受け部４７，４９を貫通して、前記重量体４５が螺着可能にねじ山が刻設された重量体取付孔（以下、「取付孔」という）５３が設けられており、各取付孔５３に重量体４５を外方からねじ込むと、重量体４５の頭部５５がサイド部３１の外形形状と面一となって、重量体４５がヘッド本体２３に螺着されるようになっている。
【００１４】
更に、サイド部３１のバック側外周には、装飾やネーム表示等のプレートである周知の銘板５７を埋め込む銘板取付孔５９がトゥ，ヒール方向へ凹状に形成されている。そして、当該銘板取付孔５９に対応してヘッド本体２３の内方へ突出部６１が突設されており、銘板取付孔５９内に銘板５７がサイド部３１と面一に接着されている。
尚、既述したように本実施形態は、重量体４５を受け部４７，４９の取付孔５３に螺着可能としたが、斯かるねじ止め構造に代え、重量体４５を受け部４７，４９の取付孔５３に圧着可能としたり、接着剤を用いて接着可能としてもよい。
【００１５】
このように本実施形態は、サイド部３１のバック側に設けた筒状の受け部４７，４９に重量体４５を螺着してヘッドバランスの調整を図ると共に、両受け部４７，４９間に設けた銘板取付孔５９に銘板５７を装着しているが、既述したように昨今のヘッドは、大型，軽量化に伴いヘッド本体が薄肉化され、本実施形態のヘッド３７もヘッド本体２３が薄肉化されている。
【００１６】
このため、薄肉なサイド部３１のバック側に受け部４７，４９や突出部６１を設けてしまうと、従来と同様、夫々の部位にウエイトが乗り、この結果、打球時に各部位が局部的に振動してビビリ音が生じ、このビビリ音が中空なヘッド本体２１内で共振して不快な異音（打球音）が発生する虞がある。
そこで、図２乃至図５に示すように本実施形態は、サイド部３１のバック側の内周に沿って、前記受け部４７と突出部６１の間及び当該突出部６１と受け部４９の間に、夫々、リブ６３，６５をトゥ，ヒール方向へ同一線上に突設すると共に、各受け部４７，４９及び前記突出部６１からトップ，ソール方向へ複数本のリブ６７を突設して、打球時の受け部４７，４９と突出部６１の振動の同調を図ったもので、図５に示すようにリブ６３，６５，６７の肉厚ｔ１は均一で、受け部４７，４９と突出部６１の中で最も幅狭な突出部６１の幅ｍより薄肉（ｍ≧ｔ１）とされて、リブ６３，６５，６７による重量増を防止している。
【００１７】
尚、リブ６７は、受け部４７，４９や突出部６１間を連結するリブ６３，６５より肉厚を小さくしてもよく、これにより更に重量増を防止できる。
そして、図３に示すように各リブ６３，６５，６７の高さｈは、サイド部３１の肉厚ｔ２の２倍以上（ｈ１≧２ｔ１）とされて、リブ６３，６５，６７の強度低下を防止している。
【００１８】
本実施形態はこのように構成されているから、受け部４７，４９のいずれか一方、或いは双方に重量体４５を螺着することで、ヘッド３７のヘッドバランスが変更，設定される。
そして、斯かるヘッド３７を用いたゴルフクラブで打球すると、フェースプレート３５の反発力でボールが飛び、この打球時にヘッド３７の外殻構成部材、即ち、フェース部２９やトップ部２７，サイド部３１，ソール部３３が夫々振動して打球音が発生する。
【００１９】
このとき、サイド部３１では、受け部４７，４９や突出部６１を設けた部位にウエイトが乗るため、打球時にこれらの部位が局部的に振動しようとするが、本実施形態は、サイド部３１のバック側の内周に沿って、受け部４７と突出部６１の間及び当該突出部６１と受け部４９の間にリブ６３，６５をトゥ，ヒール方向へ突設すると共に、受け部４７，４９及び突出部６１からトップ，ソール方向へ複数本のリブ６７を突設して、受け部４７，４９と突出部６１の振動の同調を図っているから、打球時にこれらの部位の振動が同調して不快な打球音の発生が防止される。
【００２０】
このように本実施形態によれば、薄肉なサイド部３１に重量体４５を取り付ける厚肉な受け部４７，４９を複数設けても、打球時にこれらの部位の振動をリブ６３，６５，６７で同調させることが可能となるため、不快な打球音の発生を防止することができる利点を有する。
また、既述したように本実施形態は、リブ６３，６５，６７の肉厚ｔ１を突出部６１の幅ｍより薄肉（ｍ≧ｔ１）として、リブ６３，６５，６７による重量増を防止しているため、重量体４５によるヘッドバランスの調整がし易い利点を有する。
【００２１】
図６は請求項１乃至請求項３に係るヘッドの第二実施形態を示し、本実施形態は、既述した第一実施形態の構成から銘板５７と銘板取付孔５９，突出部６１を省略して、サイド部３１に設けた重量体４５の受け部４７，４９間に、前記リブ６３と同一幅，同一高さを有する２本のリブ６９，７１をサイド部３１の内周に沿って平行に突設したものである。
尚、その他の構成は上記第一実施形態と同様であるので、同一のものには同一符号を付してそれらの説明は省略する。
【００２２】
而して、本実施形態によっても、打球時に受け部４７，４９部分の振動をリブ６９，７１で同調させることが可能となるため、不快な打球音の発生を防止することが可能となる。
図７及び図８は請求項１乃至請求項５に係るウッドのヘッドの一実施形態を示し、本実施形態は、前記受け部４７と同一形状，同一構造の３つの受け部７３，７５，７７をヘッド本体２３-1のサイド部３１のバック側に突設して、各受け部７３，７５，７７に重量体４５を螺着するに当たり、各受け部７３，７５，７７を、打球時の打球方向（図中、矢印Ａ方向）と平行に突設すると共に、各受け部７３，７５，７７間に、前記リブ６３と同一幅，同一高さを持った１本のリブ７９をサイド部３１の内周に沿って突設するに当たり、当該リブ７９を打球方向と平行に突設したものである。そして、その他の構成は図１の実施形態と同様であるため、同一のものには同一符号を付してそれらの説明は省略する。
【００２３】
而して、本実施形態に係るヘッド３７-1によっても、図１のヘッド３７と同様、打球時の受け部７３，７５，７７部分の振動をリブ７９によって同調させることが可能となるため、不快な打球音の発生を防止することができるが、本実施形態は、各受け部７３，７５，７７とリブ７９を打球時の打球方向と平行に突設したので、本実施形態によれば、打球時の振動で受け部７３，７５，７７がブレ難く、また、リブ７９を高く形成しても打球時の振動でリブ７９がブレ難くなるため、受け部７３，７５，７７部位の振動を効率よく、より確実に抑えることが可能となる。
【００２４】
尚、上述した各実施形態では、ヘッド本体のサイド部に重量体の複数の受け部（突出部）を設けたが、ソール部に複数の突出部を設けたヘッドにも適用できることは勿論である。
【図面の簡単な説明】
【００２５】
【図１】請求項１乃至請求項３の第一実施形態に係るヘッドの正面図である。
【図２】図１に示すヘッドの背面図である。
【図３】図２のIII−III線断面図である。
【図４】図１のIV−IV線断面図である。
【図５】図３のV−V線断面図である。
【図６】請求項１乃至請求項３の第二実施形態に係るヘッドの要部正面図である。
【図７】請求項１乃至請求項５の一実施形態に係るヘッドの断面図である。
【図８】図８に示すヘッドの断面図である。
【図９】従来のヘッドの断面図である。
【図１０】ヘッド本体に突設された受け部の拡大断面図である。
【図１１】重量体の全体斜視図である。
【図１２】従来の他のヘッド本体の底面図である。
【図１３】図１２のＡ−Ａ線断面図である。
【符号の説明】
【００２６】
２３，２３-1  ヘッド本体
２５  フェース側開口部
２７  トップ部
２９  フェース部
３１  サイド部
３３  ソール部
３５  フェースプレート
３７，３７-1  ヘッド
４５  重量体
４７，４９，７３，７５，７７  受け部
５３  取付孔
５７  銘板
５９  銘板取付孔
６１  突出部
６３  ６５  ，６７，６９，７１，７９  リブ
【図１】
2006095055.tif 000003
【図２】
2006095055.tif 000004
【図３】
2006095055.tif 000005
【図４】
2006095055.tif 000006
【図５】
2006095055.tif 000007
【図６】
2006095055.tif 000008
【図７】
2006095055.tif 000009
【図８】
2006095055.tif 000010
【図９】
2006095055.tif 000011
【図１０】
2006095055.tif 000012
【図１１】
2006095055.tif 000013
【図１２】
2006095055.tif 000014
【図１３】
2006095055.tif 000015